(57)【要約】【課題】  平板形状のブロック玩具用パーツを折り曲げて立体化し、複数のパーツを組み合わせることで多様な立体形状の作品を簡単に制作することができるブロック玩具を提供することを目的とする。【解決手段】  平板形状のブロック玩具用パーツの基材に柔軟なシートを採用し、基材シートの両面に自己結合型の面ファースナーを固着した。さらに平板形状のブロック玩具用パーツ上に折り曲げのガイドとなるラインを施した。これによりパーツを折り畳んで向かい合った面同士を押着することが可能になり、ひとつのパーツから数種類の立体を形成できるとともに、複数のパーツ同士を押着し、組み合わせて容易に造形作品を作ることができる。【選択図】図１３
2018171419.tif 000002
【特許請求の範囲】
【請求項１】
多角形の平面形状をなした折り曲げ可能な基材シートの両面に自己結合型の面ファースナーを固着した平板型ブロック玩具用パーツであって、多角形の頂点を結ぶ線上を折り曲げラインとし、折り曲げによって生じる対向部同士を押着することで平板型が立体へ変化することを特徴とするブロック玩具用パーツ。
【請求項２】
平面形状が正１２角形を成し、中心部分に外周の相似形の穴が開いたドーナツ状のパーツであって、正１２角形の対角線上を折り曲げラインとしたことを特徴とする請求項１記載のブロック玩具用パーツ。
【請求項３】
平面形状が雲型形状のパーツであって、この場合の雲形形状とは正方形４個を１列に並べた長方形の周囲に正方形の１辺を直径とした半円１０個を接合して出来上がる形状であり、半円の直径上および正方形の対角線上を折り曲げラインとしたことを特徴とする請求項１記載のブロック玩具用パーツ。
【発明の詳細な説明】
【技術分野】
【０００１】  本発明は、面ファースナーを表面素材とする平板状ブロック玩具用パーツを複数結合し立体的形状を組立てるブロック玩具に関する。
【背景技術】
【０００２】  多数のパーツを面ファースナーで結合して組み合わせ、大きな立体物を作って遊ぶ知育玩具であるブロック玩具が種々提案されている。
例えば、特許文献１には面ファースナーで覆われた立体形状のパーツのブロック玩具が特許文献２には面ファースナーで覆われた板状のパーツのブロック玩具が提案されている。
また、株式会社一歩（奈良県御所市）より商品目「フリーマジックブロック」（非特許文献１）およびＶｅｌｃｒｏ  ＵＳＡ  Ｉｎｃ．（米国ニューハンプシャー州）より商品名「Ｖｅｌｃｒｏ  Ｂｌｏｃｋｓ」  （非特許文献２）が、自己結合型の面ファースナーで覆われたパーツのブロック玩具として商品化されている。
自己結合型の面ファースナーとは同一面を互いに圧着して結合することができる面ファースナーをいう。
上記の特許文献１、特許文献２、非特許文献１および非特許文献２において使用される自己結合型の面ファースナーとしては、例えば非特許文献３に掲載のクラレファスニング株式会社より販売されている商品名「フリーマジック」あるいは非特許文献４に掲載のＹＫＫファスニングプロダクツ販売株式会社より販売されている商品名「Ｑメイト」がある。これらは、同一テープ面にフックとループの機能を備えた自己結合型の面ファースナーである。
他に自己結合型の面ファースナーとしては微小なキノコ状の突起を有する形状の面ファースナーが、例えば非特許文献５に掲載の３Ｍジャパン株式会社（東京都品川区）より販売されている商品名「デュアルロックファスナー」がある。
【先行技術文献】
【特許文献】
【０００３】
【特許文献１】実用新案登録第３０８８７７１号  公報
【特許文献２】実用新案登録第３２０７５９４号  公報
【非特許文献】
【０００４】
【非特許文献１】株式会社一歩、製品一覧  フリーマジックブロック［ｏｎｌｉｎｅ］、［平成２９年３月７日検索］、インターネット〈ＵＲＬ：ｈｔｔｐ：／／ｗｗｗ．ｈａｊｉｍｅｌ．ｃｏｍ／ｐｒｏｄｕｃｔ／ｄｅｔａｉｌ／ｄｅｔａｉｌＧ００００００００８＿３７．ｈｔｍｌ＃Ｂ０００００００８８〉
【非特許文献２】Ｖｅｌｃｒｏ  ＵＳＡ  Ｉｎｃ．、ＶＥＬＣＲＯ  ＣＯＮＳＵＭＥＲ  ＳＨＯＰ  ＶＥＬＣＲＯ  ＢＬＯＣＫＳ、［ｏｎｌｉｎｅ］、［平成２９年３月７日検索］、インターネット〈ＵＲＬ：ｈｔｔｐ：／／ｗｗｗ．ｖｅｌｃｒｏ．ｃｏｍ／ｐｒｏｄｕｃｔｓ／ｂｌｏｃｋｓ〉
【非特許文献３】クラレファスニング株式会社、製品情報  フリーマジック、［ｏｎｌｉｎｅ］、［平成２９年３月７日検索］、インターネット〈ＵＲＬ：ｈｔｔｐｓ：／／ｗｗｗ．ｍａｇｉｃ−ｔａｐｅ．ｃｏｍ／ｃａｔａｌｏｇ／ｅｃｏｍａｇｉｃ／？ｓｔａｒｔｐａｇｅ＝６〉
【非特許文献４】ＹＫＫファスニングプロダクツ販売株式会社、ＹＫＫ  商品カテゴリー一覧  面ファースナー  “Ｑｕｉｃｋｌｏｎ”（“クイックロン”）、［ｏｎｌｉｎｅ］、［平成２９年３月７日検索］、インターネット〈ＵＲＬ：ｈｔｔｐ：／／ｗｗｗ．ｙｋｋｆａｓｔｅｎｉｎｇ．ｃｏｍ／ｊａｐａｎ／ｐｒｏｄｕｃｔ／ｑｆ／ｑｕｉｃｋｌｏｎ．ｈｔｍｌ〉
【非特許文献５】３Ｍジャパン株式会社、製品とサービス  両面テープ・ファスナー  ファスニングシステム  ３Ｍ  デュアルロック  薄手ファースナー、［ｏｎｌｉｎｅ］、［平成２９年３月７日検索］、インターネット〈ＵＲＬ：ｈｔｔｐ：／／ｗｗｗ．ｍｍｍ．ｃｏ．ｊｐ／ｔａｐｅ−ａｄｈ／ｂｏｎｄｉｎｇ／ｆａｓｔｅｎ／ｄｕａｌ／ｉｎｄｅｘ．ｈｔｍｌ〉
【発明の概要】
【発明が解決しようとする課題】
【０００５】  従来のプラスチックス素材等を用いた立体形状のブロック玩具のパーツではそのパーツ形状を変形することができないため、最小の形状はそのパーツ形状そのものであり、それより小さな形状を自由に作ることは不可能であった。【０００６】  このため従来のブロック玩具においては、多様な形状を作るために複数種類の立体形状パーツを使用していた。非特許文献１や非特許文献２の商品のように、複数の種類の形状のパーツを提供し、これらのパーツを組み合わせることにより、より複雑な複合形状を作ることを可能としている。【０００７】  このような従来のブロック玩具の複数種類存在する立体形状パーツを収集することは、体積がかさばり、収納や保管が困難になってしまうという問題があった。
そこで、本発明は平板状のパーツを折り曲げて対向する面を押着することで単一のパーツから数種類の立体形状パーツの作成を可能とし、立体化したパーツ同士を押着して貼り合わせるブロック玩具を提供する。さらに、後片付けの際は立体化したパーツを平板に戻すことが可能であるため、収納や保管がし易い上、持ち運びも容易なブロック玩具を提供することを目的とする。【０００８】  従来のプラスチックス素材等を用いた立体形状のブロック玩具のパーツでは貼り絵やシール遊びのような平面パーツを貼り合わせて遊ぶ遊びを兼ねる事は出来なかった。
本発明は立体形状を作成する玩具でありながら基本形状が面ファースナーを表面素材とした平板状であるため、平面的な遊びも可能であり、幼児の成長年齢に合わせて平面、半立体、立体といった遊びの変化に追従できるブロック玩具を提供することを目的とする。【０００９】  従来のプラスチックス素材等を用いた立体形状のブロック玩具や積み木のパーツは硬い材質であることが多く、幼児がぶつけたり踏んだりすると怪我をする危険性があった。
本発明は軽量で柔軟な素材を採用しているため安全性が高く、幼児が安心して遊ぶことの出来るブロック玩具パーツを提供することを目的とする。【００１０】  製造メーカーから供給されるテープ状の面ファースナーの裏面同士を貼り合わせ形成した帯状のパーツが考えられるが、この場合、曲げることは可能であるが、曲げ角度が大きくなると基材の弾性の反発力が大きくなるため、二つ折りが限度であり形成できる形態が制限された。
そこで、本発明は二つ折り以上に折り畳むことが可能な柔軟性を付加することにより、種々の形態を作成可能な平板状のブロック玩具用パーツを提供することを目的とする。
【課題を解決するための手段】
【００１１】  請求項１記載の発明にあっては、多角形の外形を持つ平板状のブロック玩具用パーツの基材に折り曲げ可能な柔軟性を持つシートを採用し、基材シートの両面に自己結合型の面ファースナーを固着し、さらに多角形の頂点を結ぶ線上に折り曲げラインを施すことを特徴とする。
これによりパーツを折り曲げラインに沿って折り畳んだ際、対向部同士を押着することが可能になり、ひとつのパーツから数種類の立体を形成できるとともに、複数のパーツ同士を押着にて容易に組み合わせることが可能である。
折り曲げ可能とは幼児の手でも容易に折り曲げることができる柔軟性を有することをいう。【００１２】  前記折り曲げラインは平板状のブロック玩具用パーツを立体形状に変形させる際に折り曲げるガイドとして使用するために形成するものである。この場合、折り曲げラインは面ファースナーに切れ目を入れたり面ファースナーの基材を薄くしたりしてもよいし、その他の方法でライン状に折り曲げ強度を低くして折り曲げライン部分を形成してもよい。【００１３】  請求項２記載の発明にあっては、請求項１の発明においてブロック玩具用パーツの外形が正１２角形状をなし、中央部に外形の相似形の穴が開いたドーナツ状であることを特徴とする。
ブロック玩具は、基本的形状の立体パーツを種々組み合わせ複雑な立体形状を考えることで、思考力を高める知育玩具である。
このため、平板状のブロック玩具用パーツにおいては、どのような基本的形状の立体パーツが作れるかが問題であった。基本的形状とは、１個のブロック玩具用パーツを折り曲げラインに沿って折り曲げ、面ファースナー部を押着して形成できる単純な形状を意味するものである。【００１４】  １２という数は２、３，４，６の共通の倍数である。正１２角形状のパーツの折り曲げラインをこれらの数で折り曲げれば、１個のブロック玩具用パーツから六角形、四角形、三角形、半円という基本的形状を簡単に形成することができる。
正１２角形状とは、ブロック玩具用パーツが折り曲げラインで分割された１２個の等脚台形部あるいは１２個の略等脚台形部から形成される形状のことをいい、数学的な正１２角形の形状を意味するものではない。
この場合、等脚台形部の外周部分を直線状とすれば、外周が正１２角形のブロック玩具用パーツとなる。あるいは、略等脚台形部の外周部分を円弧状として、外周が円のブロック玩具用パーツしてもよい。【００１５】  ドーナツ状の中心部の穴はブロック玩具用パーツを二つ折り以上に折り曲げる際に、面ファースナーと基材の中心部に集中して発生する大きな反発力を緩和するために形成するものである。中心部の穴は径が大きいほど折り曲げやすくなるが、ブロック玩具用パーツとしての取り扱いや形状を考えて適切に選定する。実用的には中心部の穴の径を外径の半分以下の大きさとすることが好ましい。【００１６】  請求項３記載の発明にあっては、請求項１の発明においてブロック玩具用パーツの外形が雲型形状をなしていることを特徴とする。この場合の雲型形状とは、正方形４個を１列に並べた長方形の周囲に正方形の１辺を直径とした半円を１０個接合して出来上がる形状を意味する。
雲型を形成する半円の直径上および正方形の対角線上に折り曲げラインを施す。【００１７】  前述の雲型状パーツを折り曲げラインに沿って折り畳むことで、蝶型、三つ葉型、筒型、立方体という基本的形状が形成される。また、このパーツは請求項２記載のドーナツ状パーツと組み合わせることで造形の幅が広がる。
【発明の効果】
【００１８】  本発明によるブロック玩具用パーツは表面材が軽量な自己結合型の面ファースナーからなるため、パーツ同士がどの部位で触れ合っても押着可能であって、単一の平板形状のブロック玩具用パーツを用いて多様な立体形状の作品を簡単に制作することができる。【００１９】  平板形状を折り曲げて立体を作成するという特徴から、幼児の成長に合わせた平面、半立体、立体という組み合わせ遊びが可能である。
また、面ファースナーが押着可能な布等へ貼り付けることも可能であるので、面ファスナーが押着可能な他の玩具と組み合わせて遊ぶこともできる。【００２０】  後片付けの際は立体化したパーツを平板に戻すことが可能であるため、収納や保管がし易い上、軽量なので持ち運びも容易である。
さらに、本発明によるブロック玩具用パーツは柔軟で安全性が高いこともあり、幼児用の知育玩具だけでなく障碍者や高齢者のリハビリテーション用ツール等として広く利用することができる。
【図面の簡単な説明】
【００２１】
【図１】実施例１、ドーナツ状パーツの構造の模式的な図。
【図２】実施例１、ドーナツ状パーツの外形の説明の図。
【図３】実施例２、ドーナツ状パーツの構造の模式的な図。
【図４】実施例２、ドーナツ状パーツの部品と外形の説明の図。
【図５】ドーナツ状パーツから作成した基本的形状の図と写真。
【図６】ドーナツ状パーツから作成した基本的形状の組み合わせ写真。
【図７】実施例３、雲型状パーツの構造の模式的な図。
【図８】実施例３、雲型状パーツの外形の説明の図。
【図９】実施例４、雲型状パーツの部品と外形の説明の図。
【図１０】雲型状パーツから作成した基本的形状の図と写真。
【図１１】雲型状パーツから作成した基本的形状の組み合わせ写真。
【図１２】ドーナツ状パーツと雲型状パーツの組み合わせ写真。
【図１３】パーツおよび立体作品であるリスの写真。
【図１４】立体作品であるクリスマスツリーの写真。
【図１５】立体作品であるロボットの写真。
【図１６】立体作品であるニワトリの写真。
【図１７】立体作品である帽子の写真。
【図１８】平面作品の写真。
【図１９】ブロック玩具用パーツの収納方法を説明する写真。
【発明を実施するための形態】
【００２２】  以下、図面を参照して本発明の実施例について説明する。各図で同一番号のものは同じ内容を示す。なお、本発明の実施の形態は、本実施例に限定されるものではない。
【実施例１】
【００２３】  図１は、本発明によるブロック玩具用パーツの第１の実施例における、ドーナツ状パーツの構造の模式図であり、（ａ）は平面図、（ｂ）は正面図、（ｃ）は中央の断面図である。
平面図（ａ）において、ブロック玩具用パーツの上面は、中央部に円形の穴２が切り抜かれた円形ドーナツ状の面ファースナー部１からなっている。面ファースナー部１には、１２本の折り曲げライン３が形成されている。折り曲げライン３は中心から３０度の等間隔をなすように放射状に配置された切り込みである。【００２４】  正面図（ｂ）、断面図（ｃ）のように、ブロック玩具用パーツは上面の面ファースナー部１、基材シート４、下面の面ファースナー部５からなる積層した形状である。下面の面ファースナー部５には上面と同位置に下面の折り曲げライン６が形成されている。【００２５】  第１の実施例においては、ドーナツ状ブロック玩具用パーツの外形を内包できる幅の面ファースナーを使用して製作する。面ファースナー素材は長尺のテープ状で提供され、この面ファースナーと同じ幅の形状とした基材シートの両面に面ファースナーを重ね合わせ、接着あるいは縫製等で固定して長尺の三層構造シートとする。【００２６】  図１の平面図（ａ）における、外形と中央の穴の形状を切り抜くドーナツ状の切断刃と、面ファースナー部の折り曲げラインのみを切り抜くハーフカット刃を持つ図示しない金型を用いて、前記三層構造シートをプレス加工することにより、本発明によるブロック玩具用パーツを効率的に作成することができる。【００２７】  図２は、第１の実施例で作成したブロック玩具用パーツ７の外形の説明の模式図である。製造メーカーから提供される面ファースナーのテープは表面に結合するフックおよびループが長手方向に列状に並んでいる。図２においてハッチング状の破線は、そのフックおよびループの並びを模式的に表したものであり、ブロック玩具用パーツ７の全面に渡って平行に並んで配置される。【００２８】  図２における、外形の寸法は任意の寸法が可能であるが、面ファースナー製造メーカーから供給される面ファースナーテープの種類より、ブロック玩具用パーツの外形直径を内包することが可能な最小の幅のテープを選定することがコスト的に好ましい。【００２９】  本実施例では、面ファースナーとしてクラレファスニング株式会社から提供される１００ｍｍ巾のフリーマジックテープを用いて、直径約７０ｍｍのブロック玩具用パーツを作成した。
また、基材シートは折り曲げラインに沿って容易に折り曲げることができる柔軟性とともに、長期の繰り返しの使用でも切断等の異常が生じない強度、および幼児が口に入れたとしても問題がない安全な素材が選定される。本実施例では、ユポコーポレーション（東京都千代田区）で商品名「ユポトレース」で販売されている合成紙を使用したが、これに限定されることなくゴム、プラスチックス、紙、織物等のシート材料から適切なものであれば、いずれも利用できる。
【実施例２】
【００３０】  ブロック玩具用パーツの第２の実施例において、ドーナツ状パーツは１２個の等脚台形部を接合した正１２角形状の形状をなす。本実施例では面ファースナー素材は比較的狭い幅の長尺のテープ状で提供され、後述する等脚台形の形状に切断される。片面ごとに１２個の面ファースナーの等脚台形部を基材シートに重ね合わせ、両面に接着あるいは縫製等で固定することにより、三層構造のブロック玩具用パーツを形成する。【００３１】  図３は、本発明によるブロック玩具用パーツの第２の実施例における、構造の模式図であり、（ｄ）は平面図、（ｅ）は正面図である。
平面図（ｄ）において、ブロック玩具用パーツの上面は、後述する形状に切り抜かれた面ファースナーの等脚台形部１２個が、正１２角形の外形をなすように配置して形成されている。中央部には正１２角形の穴が形成されている。
図に置いて、１１は面ファースナー部、１２は穴、１３は折り曲げラインである。等脚台形部の脚部の接合部が折り曲げラインとなる。【００３２】  正面図（ｅ）において、１１は上面の面ファースナー部、１３は上面の折り曲げライン、１４は基材シート、１５は下面の面ファースナー部、１６は下面の折り曲げラインである。等脚台形形状の上面の面ファースナー部１１と下面の面ファースナー部１５は基材シート１４を挟んで上下重なるように配置され、上面の面ファースナー部、下面の面ファースナー部と基材シートを重ね合わせて固定された三層構造となっている。本ブロック玩具用パーツにおいては、等脚台形部の脚部の接合部が１２本の折り曲げラインとなって形成される。
基材シートはあらかじめブロック玩具用パーツの正１２角形状に外形および中央の穴を切り抜いておいて両面に面ファースナー部を固定してもよいし、基材シートの両面に面ファースナー部を固定した後に基材シートを外形および中央の穴の形状に切り抜いてもよい。【００３３】  図４は、本発明によるブロック玩具用パーツの第２の実施例を構成する部品と形状を示す模式的な図である。
（ｆ）は、面ファースナー部分の等脚台形部２１の１個の形状である。等脚台形は上辺２２、下辺２３および２つの脚部２４から構成される。上辺２２と脚部２４とがなす角２５は１０５度、下辺２３と脚部２４とがなす角２６は７５度をなす。
１２個の等脚台形部を隣り合った各上辺が内側となるように接合してすることにより、正１２角形の外形のブロック玩具用パーツが形成される。すなわち、接合後は、上辺２２は正１２角形の穴を形成し、下辺２３は正１２角形の外形を形成し、脚部２４は折り曲げラインを形成する。１２個の等脚台形部を接合することにより１個のブロック玩具用パーツの片面の形状が形成される。【００３４】  （ｇ）は、本発明によるブロック玩具用パーツの第２の実施例における、等脚台形の製作方法の説明の図である。（ｇ）は、面ファースナーテープ３１より、１個のブロック玩具用パーツを作成するに要する１２個の等脚台形を面ファースナーテープ３１より切断作成する際の模式的な図である。【００３５】  面ファースナーテープ３１は長尺のテープ状で製造メーカーより提供される。テープをその下端部となす角３２および角３３が７５度となるように切断すると（ｆ）の等脚台形部が形成される。
上部切断辺３４と下部切断辺３５は、上部切断辺３４が正の値である限り、どのような長さであっても、１２個接合すれば中心部に穴がある正１２角形状とすることができる。一方、面ファースナーテープ３１の幅は製造メーカーから供給される製品により限定される。
この分割された等脚台形は、長尺の面ファースナーテープを、切断角度を＋７５度と−７５度と交互に、斜めに切断して連続的に製造される。このようにすることで、製造時に無駄な面ファースナー部分を生じさせることなく、ブロック玩具用パーツを作成することができる。
幾何学的な計算では、１個の等脚台形の上辺の長さ（短い辺）をａ、下辺（長い辺）の長さをｂ、高さをｈすなわちテープの幅、とすると
２ｈ÷（ｂ−ａ）＝ｔａｎ７５度≒３．７３
の関係式Ａであらわされる。
また、作成した正１２角形状のブロック玩具用パーツにおいて、外形部の長さａの辺と外接する直径ｘの円と内周部の長さｂの辺と外接する直径ｙの円では
ａ／ｘ＝ｂ／ｙ＝ｓｉｎ１５度≒０．２５９
の関係式Ｂであらわされる。
上記の関係式より、市販で提供されるテープの幅と実用的なブロック玩具用パーツの大きさおよび製造条件等を考慮して、等脚台形の大きさを適宜決めればよい。【００３６】  本実施例２として、面ファースナーとして幅２５ｍｍのフリーマジックテープを用い、上部切断辺の長さ４．６ｍｍ、下部切断辺の長さを１８ｍｍとなるように切断して、１２個の等脚台形部を作成した。これらを１２個接合して、直径約７０ｍｍのブロック玩具用パーツを形成することができる。
（ｇ）のように切断するには、ナイフやカッターを用いて直線的に手作業で切断することができる。または、２枚刃をハの字型に配置した金型を用いてプレス加工により効率的に切断することができる。
また、本実施例でも基材シートとして、ユポコーポレーション（東京都千代田区）で商品名「ユポトレース」で販売されている合成紙を使用した【００３７】  （ｇ）においてハッチング状の破線は、列状に並んでいる面ファースナーの結合する部分であるフックおよびループを模式的に表したものである。切断して形成された等脚台形部は、いずれも（ｆ）のように上下の辺と平行にフックおよびループが並んでいる。【００３８】  （ｈ）は、本発明によるブロック玩具用パーツの第２の実施例で作成したブロック玩具用パーツ４１の外形の説明の模式的な図である。（ｇ）の等脚台形部１２個を、図示しない外形が正１２角形のドーナツ状基材シート上に重ね合わせ、接着あるいは縫製等で固定し、３層構造のブロック玩具用パーツ４１を形成する。【００３９】  パーツ４１においてハッチング状の破線は、列状に並んでいる面ファースナーの結合する部分である柔毛状のフックおよびループの並びを模式的に表したものである。これらのフックおよびループは等脚台形部の上辺および下辺と平行に並んでいるため、本実施例で作成したブロック玩具用パーツ４１ではフックおよびループが正１２角形状に並んだ形状となる。
図２の第１の実施例で作成したブロック玩具用パーツ７と比較して、図４１のブロック玩具用パーツ４１は略同心円状にフックおよびループが配列しており、意匠的に優れている。【００４０】  図５は、本発明によるドーナツ状のブロック玩具用パーツによって作成された基本的形状の模式的な図および写真である。
（ｉ−１）は本発明によるブロック玩具用パーツのそのままの形状の平面図であり、実物では（ｉ−２）の写真のような外形となる。
（ｊ−１）は本発明によるドーナツ状のブロック玩具用パーツを折り曲げラインに沿って半分に折り曲げた形状の模式的な平面図であり、実物では（ｊ−２）の写真のような外形となる。
（ｋ−１）は本発明によるドーナツ状のブロック玩具用パーツを折り曲げラインに沿って折り曲げて作成する３角錐的な基本的形状の模式的な平面図であり、実物では（ｋ−２）の写真のような外形となる。
（ｌ−１）は本発明によるドーナツ状のブロック玩具用パーツを折り曲げラインに沿って折り曲げて作成する４角錐的な基本的形状の模式的な平面図であり、実物では（ｌ−２）の写真のような外形となる。
（ｍ−１）は本発明によるドーナツ状のブロック玩具用パーツを折り曲げラインに沿って折り曲げて作成する６角錐的な基本的形状の模式的な平面図であり、実物では（ｍ−２）の写真のような外形となる。【００４１】  図６は、ドーナツ状のブロック玩具用パーツから作成した基本的形状（ｋ−２）を８個組み合わせて作成できる球形である。
一般的なプラスチック製のブロック玩具で球状の立体物を作成するには多数のパーツが必要であり、重量が重い大きな形状となってしまう。また、折り紙で作るくす玉は軽量であるがパーツの組み合わせ作業が容易ではない。
しかし、本発明のブロック玩具用パーツを用いれば、図６のように少数のパーツ同士を押し付けるだけで軽量の球形作品を作成することができる。【００４２】  上記のごとく、本発明のドーナツ状のブロック玩具用パーツは正１２面体状の平面的な形状であるが、折り曲げラインに沿って曲げて押着することで、立体的な基本的形状を容易に作成することができる。これらの基本形状を多数組み合わせることで、複雑な立体形状を表現することが可能となる。
なお、ドーナツ状のブロック玩具用パーツから作成可能な基本的形状は（ｉ−１）から（ｍ−１）の５種類の形状に限定されるものではなく、折り方を変えることにより他の形状とすることができる。
【実施例３】
【００４３】  図７は、本発明によるブロック玩具用パーツの第３の実施例における、雲型状パーツの構造の模式図であり、（ｎ）は平面図、（ｏ）は正面図である。
平面図（ｎ）において、ブロック玩具用パーツの上面は、雲型状の面ファースナー部５１からなっている。ここで言う雲型とは正方形４個を１列に並べた長方形の周囲に正方形の１辺を直径とした半円１０個を接合して出来上がる形状である。面ファースナー部５１には、１７本の折り曲げライン５２が形成されている。折り曲げライン５２は正方形の辺と対角線の位置に配置された切り込みである。【００４４】  正面図（ｏ）のように、ブロック玩具用パーツは上面の面ファースナー部５１、基材シート５３、下面の面ファースナー部５４からなる積層した形状である。下面の面ファースナー部５４には上面と同位置に下面の折り曲げライン５５が形成されている。【００４５】  第３の実施例においては、ブロック玩具用パーツの外形を内包できる幅の面ファースナーを使用して製作する。面ファースナー素材は長尺のテープ状で提供され、この面ファースナーと同じ幅の形状とした基材シートの両面に面ファースナーを重ね合わせ、接着あるいは縫製等で固定して長尺の三層構造シートとする。【００４６】  図７の平面図（ｎ）における、外形を切り抜く雲型状の切断刃と、面ファースナー部の折り曲げラインのみを切り抜くハーフカット刃を持つ図示しない金型を用いて、前記三層構造シートをプレス加工することにより、本発明によるブロック玩具用パーツを効率的に作成することができる。【００４７】  図８は、第３の実施例で作成したブロック玩具用パーツ６１の外形の説明の模式図である。製造メーカーから提供される面ファースナーのテープは表面に結合する柔毛状のフックおよびループが長手方向に列状に並んでいる。図８においてハッチング状の破線は、そのフックおよびループの並びを模式的に表したものであり、ブロック玩具用パーツ６１の全面に渡って平行に並んで配置される。【００４８】  図８における、外形の寸法は任意の寸法が可能であるが、面ファースナー製造メーカーから供給される面ファースナーテープの種類より、ブロック玩具用パーツの外形を内包することが可能な最小の幅のテープを選定することがコスト的に好ましい。【００４９】  本実施例では、面ファースナーとしてクラレファスニング株式会社から提供される５０ｍｍ巾のフリーマジックテープを用いて、巾約３６ｍｍ長さ約９０ｍｍのブロック玩具用パーツを作成した。
また、本実施例でも基材シートとして、ユポコーポレーション（東京都千代田区）で商品名「ユポトレース」で販売されている合成紙を使用した。
【実施例４】
【００５０】  ブロック玩具用パーツの第４の実施例において、雲型状パーツは１０個の半円部と８個の直角二等辺三角形部を接合した形状をなす。本実施例では面ファースナー素材は比較的狭い幅の長尺のテープ状で提供され、後述する半円形と直角二等辺三角形の形状に切断される。片面ごとに１０個の半円部と８個の直角二等辺三角形部の面ファースナーを基材シートに重ね合わせ、両面を接着あるいは縫製等で固定することにより、三層構造のブロック玩具用パーツを形成する。【００５１】  図９は、本発明によるブロック玩具用パーツの第４の実施例を構成する雲型状パーツの部品と形状を示す模式的な図である。
（ｐ）は、面ファースナー部分の半円部７１の１個の形状である。半円は円弧７２、直径７３から構成される。
（ｑ）は、１個のブロック玩具用パーツの片面を作成するに要する１０個の半円を面ファースナーテープ８１より切断作成する際の模式的な図である。テープ巾８２を半径Ｒとすると切断辺８３は半円の直径であるので２Ｒの長さとなり、テープ巾８２を半径とする円弧８４のラインでテープをカットし半円部を切り出す。【００５２】  （ｒ）は、面ファースナー部分の直角二等辺三角形部９１の１個の形状である。直角二等辺三角形部９１は、互いに直角で交わる同じ長さの斜辺９２と底辺９３から構成される。
（ｓ）は、１個のブロック玩具用パーツの片面を作成するに要する８個の直角二等辺三角形を面ファースナーテープ１０１より切断作成する際の模式的な図である。テープ巾１０２を直角二等辺三角形の高さＬとすると底辺１０３は２Ｌと表される。底辺１０３と角１０４の角度４５度をなす辺１０５のラインでテープをカットし直角二等辺三角形部を切り出す。【００５３】  （ｐ）の形状の１０個の半円部と（ｒ）の形状の８個の直角二等辺三角形を接合することにより１個の雲型状のブロック玩具用パーツの片面が形成される。この場合、半円（ｐ）の直径７３と直角二等辺三角形（ｒ）の斜辺９２の長さが等しいことが求められる。【００５４】面ファースナーテープ８１および１０１は長尺のテープ状で製造メーカーより提供される。
（ｑ）で示す半円を切り出すテープ巾８２＝半円の半径Ｒと（ｓ）で示す直角二等辺三角形を切り出すテープ巾１０２＝三角形の高さＬの関係式Ｃは、２Ｒ＝Ｌｓｉｎ４５°、となりＲ＝Ｌ÷√２で表される。
上記の関係式Ｃより、市販で提供されるテープの幅および製造条件等を考慮して、実用的なブロック玩具用パーツの大きさを適宜決めればよい。【００５５】  本実施例４として、半円を切り出す面ファースナーに幅２０ｍｍのフリーマジックテープを長手方向に２分割して使用し、半径Ｒが９ｍｍの半円部１０個を作成した。また、直角二等辺三角形を切り出す面ファースナーに幅３０ｍｍのフリーマジックテープを長手方向に２分割して使用し、高さＬが１２．７ｍｍの直角二等辺三角形部８個を作成した。これらの１８個の部品を接合して、巾３６ｍｍ、長さ９０ｍｍの雲型状のブロック玩具用パーツの片面を形成することができる。
面ファースナーを（ｑ）（ｓ）のように切断するには、ナイフやカッターを用いて直線的に手作業で切断することができる。または、金型を用いてプレス加工により効率的に切断することができる。
また、本実施例でも基材シートとして、ユポコーポレーション（東京都千代田区）で商品名「ユポトレース」で販売されている合成紙を使用した。【００５６】  （ｑ）（ｓ）においてハッチング状の破線は、列状に並んでいる面ファースナーの結合する部分である柔毛状のフックおよびループを模式的に表したものである。切断して形成された部品は、いずれも（ｐ）（ｒ）のように底辺と平行にフックおよびループが並んでいる。【００５７】  （ｔ）は、本発明によるブロック玩具用パーツの第４の実施例で作成したブロック玩具用パーツ１１１の外形の説明の模式的な図である。（ｑ）（ｓ）のように切り出した部品１８個を、図示しない外形が雲型状基材シート上に重ね合わせ、接着あるいは縫製等で固定し、３層構造のブロック玩具用パーツ１１１を形成する。【００５８】  パーツ１１１においてハッチング状の破線は、列状に並んでいる面ファースナーの結合する部分である柔毛状のフックおよびループの並びを模式的に表したものである。これらのフックおよびループは半円の直径および直角二等辺三角形の底辺と平行に並んでいるため、本実施例で作成したブロック玩具用パーツ１１１ではフックおよびループの並びが半円の直径および直角二等辺三角形の底辺に平行に配列される。
図８の第３の実施例で作成したブロック玩具用パーツ６１と比較して、（ｔ）のブロック玩具用パーツ１１１はフックおよびループの配列が変化に富み意匠的に優れている。【００５９】  図１０は、本発明による雲型状のブロック玩具用パーツによって作成された基本的形状の模式的な図および写真である。
（ｕ−１）は本発明による雲型状のブロック玩具用パーツのそのままの形状の平面図であり、実物では（ｕ−２）の写真のような外形となる。
（ｖ−１）は本発明による雲型状のブロック玩具用パーツを折り曲げラインに沿って折り曲げた蝶型的な基本的形状の模式的な平面図であり、実物では（ｖ−２）の写真のような外形となる。
（ｗ−１）は本発明による雲型状のブロック玩具用パーツを折り曲げラインに沿って折り曲げて作成する三つ葉的な基本的形状の模式的な平面図であり、実物では（ｗ−２）の写真のような外形となる。
（ｘ−１）は本発明による雲型状のブロック玩具用パーツを折り曲げラインに沿って折り曲げて作成する筒状の基本的形状の模式的な平面図であり、実物では（ｘ−２）の写真のような外形となる。
（ｙ−１）は本発明による雲型状のブロック玩具用パーツを折り曲げラインに沿って折り曲げて作成する立方体的な基本的形状の模式的な平面図であり、実物では（ｙ−２）の写真のような外形となる。【００６０】  図１１は、雲型状のブロック玩具用パーツから作成した基本的形状（ｗ−２）を３個組み合わせて作成できる三角錐状の造形である【００６１】  上記のごとく、本発明の雲型状のブロック玩具用パーツは多角形の組み合わせによる平面的な形状であるが、折り曲げラインに沿って曲げて押着することで、立体的な基本的形状を容易に作成することができる。これらの基本形状を多数組み合わせることで、複雑な立体形状を表現することが可能となる。
なお、雲型状のブロック玩具用パーツから作成可能な基本的形状は（ｕ−１）から（ｙ−１）の５種類の形状に限定されるものではなく、折り方を変えることにより他の形状とすることができる。【００６４】  図１２は、本発明によるドーナツ状パーツと雲形状パーツの組み合わせ例を示した写真である。図１１の作例はドーナツ状パーツ２個、雲形状パーツ３個を使用した円柱状の造形である。
図１２のように、雲形状パーツとドーナツ状玩具パーツ同士を接合することでより多様な立体造形が可能になる。【００６５】  本発明におけるブロック玩具用パーツの製作方法は、以上説明した実施例に限定されるものではなく、多くの変形が本発明の技術的思想内で当分野において、通常の知識を有する者により可能である。【００６６】  上記までの説明では、１色の面ファースナーでの説明であったが、製造メーカーより種々着色した面ファースナーが標準品として提供されている。例えば、クラレファスニング株式会社より３９色のフリーマジックテープが標準として販売されている。
異なった色の面ファースナーを使用したブロック玩具用パーツを組み合わせることで、より多様な作品を作成することが可能となる。
また一個のブロック玩具用パーツの面の一部を異なる色にすることも容易であり、さらに豊かな造形を表現する作品を作成することも可能である。
【実施例５】
【００６７】  以下、図５および図１０の基本的形状を利用し、様々な色の面ファースナーを組み合わせて制作した具体的な作品の実施例を提示する。【００６８】  図１３は、本発明によるドーナツ状ブロック玩具用パーツ、雲型状ブロック玩具用パーツ、立体作品の作例であるリスの写真である。
パーツと作例を見比べると、本発明のブロック玩具の表現力がわかる。本発明は平板のパーツから立体を構築することで豊かな発想力と造形力を鍛える効果を期待できる玩具である。【００６９】  図１４は、本発明による基本的形状を組み合わせて製作したクリスマスツリーの写真である。図１４のように単純な形状の組み合わせで具象的な造形が簡単に作成できる。【００７０】  図１５は、本発明による基本的形状を組み合わせて製作したロボットの作品の写真である。本発明のブロック玩具用パーツは柔軟性に富むので、種々の折り曲げを組み合わせて作品を制作することができる。
これにより、図１５のようなリアルな形状のロボットの作品を制作することができ、これは一般的なプラスチック製のブロック玩具では不可能な形状である。【００７１】  図１６は、本発明による基本的形状を組み合わせて製作したニワトリの写真である。
本発明のドーナツ状パーツの中央の穴を目に見立て、着色された面ファースナーを用いたパーツで鶏冠やくちばし、羽とするように組み合わせてニワトリとした作品であり、一般的なプラスチック製のブロック玩具では不可能な形状である。色の選択を実際の鶏に近づけることで、よりリアルな作品とすることができる。【００７２】図１７は、本発明による基本的形状を組み合わせて製作した帽子である。本発明のブロック玩具用パーツは柔軟性に富み軽量なため、身につけるコスチュームの製作も可能である。【００７３】  図１８は、本発明による基本的形状を組み合わせて平面上で製作した作品の写真である。（ｚ−１）は人の顔、（ｚ−２）は花、（ｚ−３）は犬の顔の作品である。
図１８のように、本発明のブロック玩具用パーツは面ファースナーが貼りつく素材のマットを土台にして平面的な作品を作ることができるため、幼児の成長に合わせた遊び方を展開できる。
以上のように、本発明によるブロック玩具用パーツを用いることで、従来にない多様な作品を作成することが可能である。【００７０】  図１９は、本発明におけるブロック玩具用パーツの収納方法を説明する写真である。
図１９の例では面ファースナーが貼り付く布製のマットを使用し、本発明のパーツをマットに貼り付け、パーツのマットとの接合力を生かしてマットを小さく折りたたんでいる。この方法で収納すれば本棚などの隙間に収納が可能である。これは一般的なプラスチック製のブロック玩具や積み木では形状が立体形のため実現不可能な収納方法である。
さらに、本発明におけるブロック玩具は、軽量であるため、図１９のようにまとめれば持ち運びが容易である。携帯が容易であることから、本発明は様々な場所での使用が期待できるブロック玩具である。
【符号の説明】
【００７１】１・・・面ファースナー部
２・・・穴
３・・・折り曲げライン
４・・・基材シート
５・・・面ファースナー部
６・・・折り曲げライン
７・・・実施例１におけるドーナツ状のブロック玩具用パーツ
１１・・・面ファースナー部
１２・・・穴
１３・・・折り曲げライン
１４・・・基材シート
１５・・・面ファースナー部
１６・・・折り曲げライン
２１・・・面ファースナー部
２２・・・上辺
２３・・・下辺
２４・・・脚部
２５・・・角
２６・・・角
３１・・・面ファースナーテープ
３２・・・角
３３・・・角
３４・・・上部切断辺
３５・・・下部切断辺
４１・・・実施例２におけるドーナツ状のブロック玩具用パーツ
５１・・・面ファースナー部
５２・・・折り曲げライン
５３・・・基材シート
５４・・・面ファースナー部
５５・・・折り曲げライン
６１・・・実施例３における雲型状のブロック玩具用パーツ
７１・・・面ファースナー部
７２・・・円弧
７３・・・直径をなす弦
８１・・・面ファースナーテープ
８２・・・テープ巾
８３・・・切断辺
８４・・・切断ラインである円弧
９１・・・面ファースナー部
９２・・・斜辺
９３・・・底辺
１０１・・・面ファースナーテープ
１０２・・・テープ巾
１０３・・・切断辺
１０４・・・角
１０５・・・切断ラインである斜辺
１１１・・・実施例４における雲型状のブロック玩具用パーツ
【図１】
2018171419.tif 000003
【図２】
2018171419.tif 000004
【図３】
2018171419.tif 000005
【図４】
2018171419.tif 000006
【図５】
2018171419.tif 000007
【図６】
2018171419.tif 000008
【図７】
2018171419.tif 000009
【図８】
2018171419.tif 000010
【図９】
2018171419.tif 000011
【図１０】
2018171419.tif 000012
【図１１】
2018171419.tif 000013
【図１２】
2018171419.tif 000014
【図１３】
2018171419.tif 000015
【図１４】
2018171419.tif 000016
【図１５】
2018171419.tif 000017
【図１６】
2018171419.tif 000018
【図１７】
2018171419.tif 000019
【図１８】
2018171419.tif 000020
【図１９】
2018171419.tif 000021